(57)【要約】【課題】  電子部品の組み込み作業性を向上させることができるとともに、電子部品の静電気による悪影響を回避できる電子機器を提供する。【解決手段】  筐体２内に複数の異なる電子部品１０，１３と基板Ｐとを備えた電子機器において、電子部品１０は、筐体２の表面に形成された開口部８を向くように配置されるとともに、これら電子部品１０，１３を渡るように設けられた保持部１６に保持され、この保持部１６は、これら電子部品１０，１３を個々に収容する複数の収容部１７，１８を有するとともに、導電性を有し基板Ｐに導通していることを特徴とする。【選択図】    図２
2006211350.tif 000002
【特許請求の範囲】
【請求項１】
筐体内に複数の異なる電子部品と基板とを備えた電子機器において、
前記電子部品は、前記筐体の表面に形成された開口部を向くように配置されるとともに、これら電子部品を渡るように設けられた保持部に保持され、
前記保持部は、これら電子部品を個々に収容する複数の収容部を有するとともに、導電性を有し前記基板に導通していることを特徴とする電子機器。
【請求項２】
前記電子部品は、マイク、スピーカ、カメラのいずれかであり、
前記収容部には、前記筐体の開口部側に前記電子部品の外部への移動を規制する縁部が設けられたことを特徴とする請求項１に記載の電子機器。
【請求項３】
前記開口部は、それぞれ異なる位置および／または方向に指向して形成され、
前記収容部の少なくとも１つには、該収容部に収容された前記電子部品の抜け止め部が設けられたことを特徴とする請求項１または請求項２に記載の電子機器。
【請求項４】
前記電子部品のいずれか一つは、前記保持部から外部に突出するとともに稼動可能な操作部を備え、
前記操作部を備えた電子部品を収容する収容部の外壁を切り欠いた孔部を設け、この孔部は、少なくとも前記操作部の動作を許容する操作孔部と、前記操作孔部よりも幅狭で、かつ、前記操作部の前記操作孔部への受け入れを許容する導入孔部とを備えたことを特徴とする請求項１から請求項３のいずれか１項に記載の電子機器。
【請求項５】
前記電子部品には導電体が外装され、該導電体が前記収容部に導通していることを特徴とする請求項１から請求項４のいずれか１項に記載の電子機器。
【発明の詳細な説明】
【技術分野】
【０００１】
本発明は、電子機器に関するものであり、特に、携帯電話機等の携行可能な電子機器に関するものである。
【背景技術】
【０００２】
携帯電話機には２つの筐体を開閉する開閉型のものがある。これら筐体の前面および背面にそれぞれ液晶表示部が設けられるとともに、通話用スピーカが筐体内に収容されており、さらに、通話用マイク、着信音用スピーカ、小型カメラ等の撮像部が収容されている（特許文献１参照）。
ところが近年、さらにこれらに加えて、音楽鑑賞用の複数のスピーカが筐体内に実装される等、携帯電話機の多機能化が進んできている。
前記筐体内に実装される電子部品は、ともに筐体の外部に情報を出力し、あるいは筐体の外部から電子部品に情報を入力する関係上、各電子部品が配置される部位において筐体の表面にそれぞれ開口部が設けられるとともに、各電子部品がそれぞれ各開口部に向くように配置されている。
【特許文献１】特開２００４−１８０２２３号公報
【発明の開示】
【発明が解決しようとする課題】
【０００３】
このように、携帯電話機が多機能化することで、付加価値が増し、利用者のニーズを満たすことができる反面、前述したように電子部品を多数実装したことにより、これら電子部品の部品点数が増加するため、これら電子部品の筐体への配置が複雑化するとともに、筐体への組み込み作業が困難となっている。
また、電子部品の部品点数の増加に伴い、各電子部品に対応する開口部が筐体の表面に多数設けられることから、外部からの静電気が筐体の表面に設けられた開口部を通過して筐体内に進入しやすくなり、ノイズ発生の原因となっている。
【０００４】
本発明は、このような事情を考慮してなされたもので、電子部品の組み込み作業性を向上させることができるとともに、電子部品の静電気による悪影響を回避できる電子機器を提供することを目的とする。
【課題を解決するための手段】
【０００５】
本発明は、上記課題を解決するため、以下の手段を採用する。すなわち本発明は、筐体内に複数の異なる電子部品と基板とを備えた電子機器において、前記電子部品は、前記筐体の表面に形成された開口部を向くように配置されるとともに、これら電子部品を渡るように設けられた保持部に保持され、前記保持部は、これら電子部品を個々に収容する複数の収容部を有するとともに、導電性を有し前記基板に導通していることを特徴とする。
【０００６】
また、本発明は、上記電子機器において、前記電子部品は、マイク、スピーカ、カメラのいずれかであり、前記収容部には、前記筐体の開口部側に前記電子部品の外部への移動を規制する縁部が設けられたことを特徴とする。
【０００７】
また、本発明は、上記電子機器において、前記開口部は、それぞれ異なる位置および／または方向に指向して形成され、前記収容部の少なくとも１つには、該収容部に収容された前記電子部品の抜け止め部が設けられたことを特徴とする。
【０００８】
また、本発明は、上記電子機器において、前記電子部品のいずれか一つは、前記保持部から外部に突出するとともに稼動可能な操作部を備え、前記操作部を備えた電子部品を収容する収容部の外壁を切り欠いた孔部を設け、この孔部は、少なくとも前記操作部の動作を許容する操作孔部と、前記操作孔部よりも幅狭で、かつ、前記操作部の前記操作孔部への受け入れを許容する導入孔部とを備えたことを特徴とする。
【０００９】
また、本発明は、上記電子機器において、前記電子部品には導電体が外装され、該導電体が前記収容部に導通していることを特徴とする。
【００１０】
このような構成としたことで、電子部品に静電気が進入したとしても、その電子部品に外装された導電体から収容部を介して基板に静電気を落とすことが可能となる。
【発明の効果】
【００１１】
本発明の電子機器によれば、収容部が１つの保持部で形成され、部品点数が削減されるので、保持部を筐体に組み込む際の作業性を向上させることができる。
また、保持部が導電性を有するための処理を行う工程が削減されるので、保持部の製造工程の削減を図ることができる。
さらに、筐体表面の開口部から進入する静電気を保持部から基板に落とすので、収容部に収容された電子部品を静電気による影響を回避することができる。
【発明を実施するための最良の形態】
【００１２】
以下、本発明の実施の形態について、図１〜図４を参照して説明する。なお、本実施の形態においては、携帯電話機について説明するものであるが、本発明の電子機器は、携帯電話機に限定するものではなく、筐体の外部に情報を出力し、あるいは筐体の外部から電子部品に情報を入力する携行可能な電子機器にも適用可能である。
図１は、携帯電話機１の斜視図である。この携帯電話機１は、２つの筐体、すなわち第１の筐体２と第２の筐体３とからなる開閉型の携帯電話機である。第１の筐体２の基端にはヒンジ部４が設けられており、このヒンジ部４に第２の筐体３の基端が回動可能に取り付けられている。したがって、図１に示すように、携帯電話機１を閉じた状態では、第１の筐体２が上側に配置されるとともに、第２の筐体３が下側に配置され、これらの第１の筐体２および第２の筐体３の内面が重なり合っている。
【００１３】
第１の筐体２は、蓋部２ａと箱部２ｂとに上下方向に分割可能に構成されている。
蓋部２ａの外面の先端側には、略矩形の開口部５が形成され、この開口部５には透明板６が設置されるとともに、この透明板６に覆われるように開口部５の下側に液晶表示部７が設置されている。また、蓋部２ａの基端側の外面には、周縁にテーパを有した開口部８が形成され、この開口部８内には透明板９が設置されるとともに、この透明板９に覆われるように、後述する円柱状の撮像部１０（カメラ、電子部品）が開口部８を向くようにして開口部８の下側に設置されている。
【００１４】
箱部２ｂの基端側の外壁面かつ幅方向の両側には、それぞれ細長状の開口部１１が形成されるとともに、箱部２ｂの基端側の底面かつ幅方向の両側には、それぞれ小径の円形状の開口部１２が形成されている。これら開口部１２の上側には、それぞれ後述する円板状の音楽鑑賞用スピーカ１３（スピーカ、電子部品）が開口部１２を向くように設置されている。なお、この開口部１２の直径は、音楽鑑賞用スピーカ１３の直径よりも小さくなるように形成されている。
【００１５】
蓋部２ａおよび箱部２ｂの基端には、それぞれ対向するように幅方向に延在した切り欠き部１４ａ，１４ｂが形成されており、蓋部２ａおよび箱部２ｂを閉じた状態において、これら切り欠き部１４ａ，１４ｂが操作開口部１４を構成する。この操作開口部１４内には、後述する操作部１０ｃの外側に取り付けられた操作ノブ１５が、その操作開口部１４の幅方向に稼動可能となるように取り付けられている。
【００１６】
図２は、第１の筐体２の基端の部分拡大図であって、蓋部２ａを開いた状態における箱部２ｂの基端を示した図である。
箱部２ｂの基端には、撮像部１０および音楽鑑賞用スピーカ１３を収容し保持する保持部１６が設置されている。この保持部１６は、後述する爪部１８ｄを箱部２ｂの基端に設けた爪挿入部２ｃに挿入するとともに、図示しない第１の筐体の爪部に押さえられることによって箱部２ｂに固定される。
【００１７】
また、この保持部１６には、中央に撮像部１０を収容するカメラ収容部１７（収容部）が設けられるとともに、その両側に音楽鑑賞用スピーカ１３を収容するスピーカ収容部１８（収容部）がカメラ収容部１７と一体に設けられている。ここで、図３に示すように、撮像部１０が保持部１６の下側からカメラ収容部１７に取り付けられるようになっており、また、音楽鑑賞用スピーカ１３が保持部１６の上側からスピーカ収容部１８に取り付けられるようになっている。また、この保持部１６は、導電性を有するようにその全体がメッキ処理されている。なお、この処理は、静電気対策を目的として行う処理であればよく、例えば蒸着処理、導電塗装、板金追加等の処理であってもよい。
【００１８】
ここで、撮像部１０は、矩形に形成された台座部１０ａと、台座部１０ａに回動可能に支持された撮像部本体１０ｂとからなる。台座部１０ａには、第１の筐体２内に設置される基板Ｐと撮像部１０とを電気的に接続するフレキシブルプリント配線板１０ｐが取り付けられている。
また、撮像部本体１０ｂは、撮像部１０をカメラ収容部１７に取り付けたとき、その上面がカメラ収容部１７の上面と同一平面となるように形成されており、後述するカメラ収容部１７のフランジ部１７ａと当接できるように、その上面が小径に形成されている。また、この撮像部本体１０ｂの側面には、撮像部本体１０ｂを回動可能に操作する操作部１０ｃが外方に突出して取り付けられている。この操作部１０ｃは、カメラ収容部１７に取り付けられたときに保持部１６から外部に突出するようになっている。ここで、操作部１０ｃが前述の操作ノブ１５に取り付けられるため、図４（ａ）に示すように、この操作ノブ１５を指Ｆで稼動することにより操作部１０ｃとともに撮像部本体１０ｂを回動させて、撮像部１０の撮像モードを通常モードとマクロモードとに切り替えられるようになっている。
【００１９】
カメラ収容部１７は、撮像部１０が収容可能となるように円筒状に形成されている。また、図４（ｂ），（ｃ）に示すように、このカメラ収容部１７の上部には、円筒内側に向けて張り出したフランジ部１７ａ（縁部）が形成されている。さらに、カメラ収容部１７の下部には、台座部１０ａが収容できる矩形の空間を確保するように台座収容部１７ｂが形成されるとともに、その台座収容部１７ｂの下部に抜け止め部１７ｃが形成されている。この抜け止め部１７ｃは、カメラ収容部１７の内側に突出して設けられた爪であり、撮像部１０をカメラ収容部１７内に取り付けた状態で保持部１６を箱部２ｂに組み込むとき、撮像部１０をカメラ収容部１７から落下または離脱しないように保持するものである。
【００２０】
また、カメラ収容部１７の外壁には孔部１７ｄが形成されている。この孔部１７ｄは、所定の幅を有する操作孔部１７ｅと、操作孔部１７ｅよりも幅狭である導入孔部１７ｆとからなる。操作孔部１７ｅは、撮像部１０を取り付けたときに操作部１０ｃの動作を許容する幅を有している。また、導入孔部１７ｆは、撮像部１０を取り付けるときに操作部１０ｃの操作孔部１７ｅへの受け入れを許容する幅を有している。ここで、カメラ収容部１７の下部には、導入孔部１７ｆを操作孔部１７ｅよりも幅狭にするために、操作孔部１７ｅの下側であって導入孔部１７ｆに向けて張り出した張り出し部１７ｇが形成されている。
【００２１】
スピーカ収容部１８は、上述のようにカメラ収容部１７の両側に配置され、カメラ収容部１７を中心として対称となるように形成されている。ただし、カメラ収容部１７と一方のスピーカ収容部１８との間（本実施例では、図２および図３においてカメラ収容部１７と、カメラ収容部１７の右側に配置されたスピーカ収容部１８との間）には、フレキシブルプリント配線板１０ｐを通過させる空間部１６ａが、カメラ収容部１７と一方のスピーカ収容部１８とを切り欠くように設けられている。
【００２２】
これらスピーカ収容部１８は、音楽鑑賞用スピーカ１３が上側から収容可能となるように、有底円筒状に形成されている。これらスピーカ収容部１８の下側には、円筒内側に向けて張り出したフランジ部１８ａ（縁部）が形成されるとともに、そのフランジ部１８ａの下側に、開口部１８ｂを有した底部１８ｃが設けられている。また、このフランジ部１８ａには、保持部１６を箱部２ｂに取り付けて固定するための爪部１８ｄが外方に突出して設けられている。
【００２３】
さらに、スピーカ収容部１８の上部には、抜け止め部１８ｅが形成されている。この抜け止め部１８ｅは、スピーカ収容部１８の内側に突出して設けられた爪であり、音楽鑑賞用スピーカ１３をスピーカ収容部１８内に取り付けた状態で保持部１６を箱部２ｂに組み込むとき、音楽鑑賞用スピーカ１３をスピーカ収容部１８から落下または離脱しないように保持するものである。
【００２４】
次に、上記の構成からなる携帯電話機１の作用について説明する。
携帯電話機１内に撮像部１０および音楽鑑賞用スピーカ１３を収容する際、保持部１６に撮像部１０および音楽鑑賞用スピーカ１３を取り付けた後、その状態で保持部１６を第１の筐体２内に組み込む。すなわち以下の手順で行う。
【００２５】
まず、図３に示すように、カメラ収容部１７のフランジ部１７ａが上側となるとともにスピーカ収容部１８のフランジ部１８ａが下側となるように保持部１６を位置させる。そして、保持部１６のスピーカ収容部１８内に、スピーカ収容部１８の上側から、音楽鑑賞用スピーカ１３を収容する。音楽鑑賞用スピーカ１３が収容されると、フランジ部１８ａが音楽鑑賞用スピーカ１３の外部への移動を規制するとともに、抜け止め部１８ｅが音楽鑑賞用スピーカ１３の端部を押さえ、音楽鑑賞用スピーカ１３の落下または離脱を回避する。
【００２６】
次に、保持部１６のカメラ収容部１７内に、カメラ収容部１７の下側から、撮像部１０を収容する。このとき、撮像部１０には基板Ｐに接続するフレキシブルプリント配線板１０ｐが取り付けられているため、フレキシブルプリント配線板１０ｐを空間部１６ａに、フレキシブルプリント配線板１０ｐの損傷を回避するように通過させる。
また、撮像部１０をカメラ収容部１７に収容する際、外方に突出した操作部１０ｃを導入孔部１７ｆ内に通過させながら導入する。
【００２７】
カメラ収容部１７が収容されると、フランジ部１７ａがカメラ収容部１７の外部への移動を規制するとともに、抜け止め部１７ｃがカメラ収容部１７の端部を押さえ、カメラ収容部１７の落下または離脱を回避する。また、操作部１０ｃが操作孔部１７ｅ内で稼動可能な状態となるように収容されるとともに、撮像部本体１０ｂが操作部１０ｃとともに回動可能となる。
この状態において、保持部１６内には、落下または離脱を回避された撮像部１０および音楽鑑賞用スピーカ１３が収容されており、これら電子部品の運搬および組み込みを行う際には保持部１６のみを把持すればよい状態となっている。
【００２８】
その後、第１の筐体２の箱部２ｂに撮像部１０および音楽鑑賞用スピーカ１３を組み込む際、保持部１６を把持しながら、スピーカ収容部１８の爪部１８ｄを箱部２ｂの爪挿入部２ｃに挿入して保持部１６を箱部２ｂ内の所定の位置に収容する。このとき、保持部１６の爪部１８ｄとは異なる箇所で、保持部１６が第１の筐体２に設けられた図示しない爪部に押さえられている。そして、フレキシブルプリント配線板１０ｐを介して撮像部１０に接続された基板Ｐを、フレキシブルプリント配線板１０ｐの損傷を回避しながら箱部２ｂの所定の位置に設置する。これにより、導電性を有する保持部１６と基板Ｐとが当接して導通することとなる。
さらに、操作部１０ｃの外側に操作ノブ１５を取り付けるとともに、この操作ノブ１５を箱部２ｂの切り欠き部１４ｂに取り付けた後、蓋部２ａを箱部２ｂに装着する。その後、ヒンジ部４を介して第１の筐体２に第２の筐体３を装着して、携帯電話機１の組立を完了する。
【００２９】
このような携帯電話機１において、第１の筐体２および第２の筐体３に設けられた各開口部から静電気が進入しても、保持部１６に導通された基板Ｐに静電気が落ちることとなり、各電子部品に静電気が落ちるのが回避される。
すなわち、第１の筐体２の外面に設けられた開口部８に静電気が落ちた場合、その静電気は撮像部１０を収容するカメラ収容部１７から保持部１６を介して基板Ｐに流れる。また、第１の筐体２に設けられた開口部１１，１２に静電気が落ちた場合も同様に、スピーカ収容部１８から保持部１６を介して基板Ｐに流れる。さらに、第１の筐体２の外面に設けられた操作開口部１４に静電気が落ちた場合、カメラ収容部１７の張り出し部１７ｇがこれを受け、ここから保持部１６を介して基板Ｐに流れる。
したがって、カメラ収容部１７またはスピーカ収容部１８に収容された各電子部品を静電気による影響から保護することができる。
【００３０】
また、撮像部１０および音楽鑑賞用スピーカ１３それぞれを収容するカメラ収容部１７およびスピーカ収容部１８が、保持部１６として一体化して形成される。そのため、撮像部１０および音楽鑑賞用スピーカ１３それぞれの収容部を部品点数分設ける必要がなくなる。したがって、第１の筐体２内に収容される部品の部品点数が削減されることとなるので、保持部を筐体に組み込む際の作業性を向上させることができる。
また、これにより、保持部１６が導電性を有するための処理を行う工程も削減されることとなるので、保持部１６の製造工程の削減を図ることもできる。
【００３１】
また、カメラ収容部１７にフランジ部１７ａが設けられたことで、撮像部１０をカメラ収容部１７に収容したとき、撮像部１０がカメラ収容部１７から突出するのを防止するとともに、撮像部１０がカメラ収容部１７内の所定の位置から離脱するのを回避することが可能となる。したがって、撮像部１０をカメラ収容部１７内に確実に収容することができる。このことは、スピーカ収容部１８にフランジ部１８ａが設けられたことによっても同様の作用効果が得られる。
【００３２】
また、カメラ収容部１７に抜け止め部１７ｃが設けられたことで、撮像部１０をカメラ収容部１７に収容したとき、あるいはその状態で保持部１６を第１の筐体２に取り付けたとき、撮像部１０が抜け止め部１７ｃに支持され、カメラ収容部１７からの落下を防止することが可能となる。したがって、撮像部１０をカメラ収容部１７に収容した状態での保持部１６の組み込み作業性を向上させることができる。このことは、スピーカ収容部１８に抜け止め部１８ｅが設けられたことによっても同様の作用効果が得られる。
【００３３】
また、操作部１０ｃを備えた撮像部１０をカメラ収容部１７に取り付ける際にカメラ収容部１７の外部に突出する操作部１０ｃを導入孔部１７ｆに通過させながら取り付けることとなる。この導入孔部１７ｆは、操作部１０ｃが通過できる幅を有していればよく、幅狭であることが好ましい。また、導入孔部１７ｆが操作孔部１７ｅよりも幅狭であることで、カメラ収容部１７の外壁を切り欠いた孔部１７ｄ全体の表面積が小さくなる。したがって、この孔部１７ｄから静電気が進入して撮像部１０に静電気が流れるのを抑制することができ、撮像部１０が静電気によって受ける悪影響を回避することができる。
【００３４】
なお、上記実施の形態において、撮像部１０または音楽鑑賞用スピーカ１３には導電体が外装され、この導電体がカメラ収容部１７またはスピーカ収容部１８に導通していてもよい。このような電子部品に静電気が進入したとしても、その電子部品に外装された導電体から各収容部を介して基板Ｐに静電気を落とすことができるので、その電子部品が静電気による悪影響を回避することができる。
また、上記実施の形態において、第１の筐体２または第２の筐体３に設けられる撮像部１０及び音楽鑑賞用スピーカ１３は、マイクその他電子部品であってもよい。
【図面の簡単な説明】
【００３５】
【図１】本発明における実施の形態に係る携帯電話機の斜視図である。
【図２】図１において筐体の基端を開いた状態の部分拡大図である。
【図３】図２における保持部への電子部品の取り付けを示す図である。
【図４】図２におけるカメラ収容部の一部を示す図であって、（ａ）はカメラ収容部基端を含む携帯電話機の部分断面図、（ｂ）はカメラ収容部の斜視図、（ｃ）はカメラ収容部の断面図である。
【符号の説明】
【００３６】
１  携帯電話機（電子機器）
２  第１の筐体（筐体）
２ｂ  箱部
３  第２の筐体（筐体）
４  ヒンジ部
５  開口部
８  開口部
１０  撮像部（カメラ、電子部品）
１０ｂ  撮像部本体
１０ｃ  操作部
１１  開口部
１２  開口部
１３  音楽観賞用スピーカ（スピーカ、電子部品）
１４  操作開口部
１６  保持部
１７  カメラ収容部（収容部）
１７ａ  フランジ部（縁部）
１７ｃ  抜け止め部
１８  スピーカ収容部（収容部）
１８ａ  フランジ部（縁部）
１８ｅ  抜け止め部
【図１】
2006211350.tif 000003
【図２】
2006211350.tif 000004
【図３】
2006211350.tif 000005
【図４】
2006211350.tif 000006